(57)【要約】【課題】  結び目が緩んだり解けたりしにくく、かつ、長期間使用しても緩み止め効果が低下しない靴紐を提供する。【解決手段】  靴紐を、繊維から成る一般糸１と、塑性変形して形状を保つ形状保持プラスチック線材２と、から形成する。また、繊維から成る一般糸１にて筒状に形成された筒部材３を備える。また、筒部材３の内部孔４に、塑性変形して形状を保つ形状保持プラスチック線材２を挿通して形成する。【選択図】  図３
0003111441.tif 000002
【実用新案登録請求の範囲】
【請求項１】
繊維から成る一般糸（１）と、塑性変形して形状を保つ形状保持プラスチック線材（２）と、から形成したことを特徴とする靴紐。
【請求項２】
繊維から成る一般糸（１）にて筒状に形成された筒部材（３）を備え、該筒部材（３）の内部孔（４）に、塑性変形して形状を保つ形状保持プラスチック線材（２）を挿通して形成したことを特徴とする靴紐。
【請求項３】
繊維から成る一般糸（１）と、塑性変形して形状を保つ形状保持プラスチック線材（２）と、を組み込んで組紐状に形成したことを特徴とする靴紐。
【請求項４】
繊維から成る一般糸（１）にて形成された外皮部（５）を備え、該外皮部（５）の内部側には、複数の内部孔（４）が並設され、該内部孔（４）の夫々に、塑性変形して形状を保つ形状保持プラスチック線材（２）を挿通して形成したことを特徴とする靴紐。
【請求項５】
繊維から成る一般糸（１）にて形成された外皮部（５）を備え、該外皮部（５）の内側には、複数の内部孔（４）が並設され、該内部孔（４）の夫々に、塑性変形して形状を保つと共に線径が0.3 〜0.6 mmに設定された形状保持プラスチック線材（２）を挿通して形成したことを特徴とする靴紐。
【請求項６】
形状保持プラスチック線材（２）は、その塑性変形特性が、 180度折曲げてから10分経過後の戻り角度が20度以下を示すポリエチレン材質から成る請求項１，２，３，４又は５記載の靴紐。
【考案の詳細な説明】
【技術分野】
【０００１】
本考案は、靴紐に関する。
【背景技術】
【０００２】
従来の運動靴，革靴等に使用される靴紐では、靴を履いてしばらくすると結び目が緩んで解けやすいという問題点があった。そこで、従来、靴の着用時に結び目が緩んだり解けるのを防止するために、緩み止め加工を施した靴紐が提案されている（例えば、特許文献１参照）。
特許文献１には、靴紐の結び目に相当する部分に液状ゴムを被覆含浸固化し、その表面に防滑面を形成すると共に、靴の鳩目孔に挿通される部分に潤滑剤を被覆含浸固化し、その表面に滑り面を形成した靴紐が開示されている。
【特許文献１】登録実用新案第３００１３４７号公報
【考案の開示】
【考案が解決しようとする課題】
【０００３】
しかしながら、上記特許文献１に開示された靴紐では、靴紐を長期間使用すると、表面の液状ゴムが剥がれてきて、緩み止めの効果が低下するという欠点があった。
また、従来の緩み止め加工を施していない靴紐と比較して、液状ゴムを被覆含浸させた部分が特に目立ち、不恰好であった。
そこで、本考案は、結び目が緩んだり解けたりしにくく、かつ、長期間使用しても緩み止め効果が低下しない靴紐を提供することを目的とする。
【課題を解決するための手段】
【０００４】
上述の目的を達成するために、本考案に係る靴紐は、繊維から成る一般糸と、塑性変形して形状を保つ形状保持プラスチック線材と、から形成したものである。
また、繊維から成る一般糸にて筒状に形成された筒部材を備え、該筒部材の内部孔に、塑性変形して形状を保つ形状保持プラスチック線材を挿通して形成したものである。
また、繊維から成る一般糸と、塑性変形して形状を保つ形状保持プラスチック線材と、を組み込んで組紐状に形成したものである。
また、繊維から成る一般糸にて形成された外皮部を備え、該外皮部の内部側には、複数の内部孔が並設され、該内部孔の夫々に、塑性変形して形状を保つ形状保持プラスチック線材を挿通して形成したものである。
また、繊維から成る一般糸にて形成された外皮部を備え、該外皮部の内側には、複数の内部孔が並設され、該内部孔の夫々に、塑性変形して形状を保つと共に線径が0.3 〜0.6 mmに設定された形状保持プラスチック線材を挿通して形成したものである。
また、形状保持プラスチック線材は、その塑性変形特性が、 180度折曲げてから10分経過後の戻り角度が20度以下を示すポリエチレン材質から成る。
【考案の効果】
【０００５】
本考案に係る靴紐によれば、結び目を形成した後に揺り動かしても、結び目形状が容易に変化しないようにすることができるので、結び目が緩んだり解けたりしにくい靴紐とすることができる。また、長期間使用しても緩み止め効果が低下しない靴紐とすることができる。また、激しく結び目が揺り動かされる運動靴に対して特に有効な靴紐とすることができる。
また、緩み止め加工を施していない従来の靴紐と比較して外観が変化することなく、緩み止め効果を靴紐に与えることができる。
また、組紐状の靴紐に於て、結び目が緩みにくいものを容易に形成することができる。  また、複数の形状保持プラスチック線材をバランスよく配設することができ、長期間使用しても緩み止め効果が低下しない靴紐とすることができる。
また、過度に曲げにくくなったり逆に形状保持機能が低すぎたりすることのない靴紐とすることができる。
【考案を実施するための最良の形態】
【０００６】
図１及び図２に於て、本考案に係る靴紐20は、繊維から成る一般糸１と、塑性変形して形状を保つ形状保持プラスチック線材２と、から形成されている。この靴紐20は、図２に示すように、例えば運動靴等の靴30に使用される。
図３は、本考案の第１実施形態に係る靴紐を示す（要部）簡略図である。
本考案の第１実施形態に係る靴紐20は、図１及び図３に示すように、繊維から成る一般糸１にて筒状に形成された筒部材３を備え、筒部材３の内部孔４に、塑性変形して形状を保つ形状保持プラスチック線材２を挿通して形成されている。この筒部材３、及び、筒部材３の内部孔４に挿通された形状保持プラスチック線材２は、靴紐20の略全長に渡って延びており、靴紐20の両端部は、棒状の紐先端部15，15となっている。
【０００７】
詳しく述べると、一般糸１は、例えば、ナイロン，ポリエステル，綿，レーヨン，ビニロン，アセテート，麻等の繊維から成る。つまり、一般糸１は、合成繊維又は天然繊維若しくは複合繊維から成り、一般に用いられる可撓性に富んだ糸である。そして、この一般糸１を、所定の織り方により織り上げて、筒部材３を形成している。例えば、筒部材３は、図４〜図６に於て示されるように、平織りＡ，綾織りＢ，朱子織りＣのうちいずれかの織り方を用いて経糸１ａと緯糸１ｂとを織り上げることによって、形成されている。
【０００８】
形状保持プラスチック線材２は、図３に示すように、靴紐20の芯材となるものであり、塑性変形性のポリエチレン材料にて断面円型の線材に形成されている。この形状保持プラスチック線材２は、線径がある程度大きいもの（例えば、１mm以上) であれば、単体で一般的な針金のように扱うことができるものである。しかしながら、第１実施形態では、特に、線径が0.3 〜0.6 mmに設定されたものが使用されている。それは、線径が0.6 mmより大きいものを複数本使用すると靴紐20が曲げにくくなって、結び目を形成しにくくなり、線径が0.3 mmより小さいと、形状保持プラスチック線材２の形状保持機能を有効に利用できなくなるからである。特に、形状保持プラスチック線材２は、その塑性変形特性が、 180度折曲げてから10分経過後の戻り角度が20度以下を示すポリエチレン材質から成るものが望ましい。
【０００９】
ここで、第１実施形態に係る靴紐20は、筒部材３の内部孔４に形状保持プラスチック線材２を挿通したものを、糸等の連結糸６にて複数個並列状に連結することによって、形成されている。言い換えると、第１実施形態に係る靴紐20は、繊維から成る一般糸１にて形成された外皮部５を備え、外皮部５の内部側には、複数の内部孔４…が並設されている。そして、内部孔４…の夫々に、塑性変形して形状を保つ形状保持プラスチック線材２を挿通することによって、靴紐20が形成されている。これにより、第１実施形態に係る靴紐20は、（両端部を除いた）全体として帯状となり、複数の形状保持プラスチック線材２…が、等間隔に並んで配設されたものとなっている。
また、図１に示すように、靴紐20の両端部の紐先端部15，15には、セルロースアセテートや金属チューブを使用したり熱で溶かしたりして靴紐20の両端部を棒状に成型する、チップ加工が施されている。
【００１０】
図７は、本考案の第２実施形態に係る靴紐を示す（要部）簡略図である。
第２実施形態に係る靴紐20は、第１実施形態と外皮部５の構造が異なる場合を例示している。即ち、第２実施形態に係る靴紐20は、複数の筒部材３…を複数個並列状に連結して外皮部５が形成されている第１実施形態と異なり、外皮部５が一つの大きな筒状となっている。また、外皮部５の内部側は、とじ糸７…にて複数の領域に区画されることによって、複数の並列状の内部孔４…が形成されている。内部孔４…の夫々には、塑性変形して形状を保つ形状保持プラスチック線材２が挿通されている。
【００１１】
言い換えると、第２実施形態に係る靴紐20は、繊維から成る一般糸１にて形成された外皮部５を備え、外皮部５の内部側には、複数の内部孔４…が並設されている。そして、外皮部５の内部孔４…の夫々に、塑性変形して形状を保つ形状保持プラスチック線材２を挿通することによって、靴紐20が形成されている。
なお、第２実施形態に係る靴紐20の外皮部５は、第１実施形態の外皮部５と同様の織り方により形成されている。即ち、外皮部５は、例えば図４〜図６に於て示されるような、平織りＡ，綾織りＢ，朱子織りＣのうちいずれかの織り方を用いて経糸１ａと緯糸１ｂとを織り上げることによって、形成されている。
【００１２】
図８は、本考案の第３実施形態に係る靴紐を示す要部拡大正面図である。
第３実施形態に係る靴紐20は、内部側に複数の内部孔４…が並設された外皮部５を備えると共に外皮部５が平織りＡ等の織り方により形成される第１実施形態及び第２実施形態と異なり、組紐状とした場合を例示している。
即ち、第３実施形態に係る靴紐20は、繊維から成る一般糸１と、塑性変形して形状を保つ形状保持プラスチック線材２と、を組み込んで組紐状（平打ち組紐状）に形成したものを例示している。この一般糸１と形状保持プラスチック線材２とを組み合わせる割合は、靴紐20が曲げにくいために結び目を形成しにくくなったり形状保持プラスチック線材２の形状保持機能を有効に利用できなくなったりしないよう、所定の割合に設定されている。
【００１３】
図９は、第４実施形態に係る靴紐を示す要部拡大正面図であり、図10は、その断面簡略図である。
第４実施形態に係る靴紐20は、繊維から成る一般糸１同士を組み込んで形成した丸打組紐状の筒部材３を備え、この筒部材３の内部孔４に、塑性変形して形状を保つ複数の断面円型の形状保持プラスチック線材２…を挿通して形成されている。即ち、筒部材３が複数存在する第１実施形態と異なり、第４実施形態では、筒部材３が一つとなっている。
【００１４】
図11は、第５実施形態に係る靴紐を示す要部拡大正面図であり、図12は、その断面簡略図である。
第５実施形態に係る靴紐20は、第４実施形態と比較して筒部材３の形成方法、及び、形状保持プラスチック線材２の形状を変更した場合を例示している。具体的には、第５実施形態は、筒部材３を繊維から成る一般糸１同士を組み込んで丸打組紐状とした第４実施形態と異なり、一般糸１を経編状とすることによって筒部材３を形成している。また、第５実施形態は、筒部材３の内部孔４に断面円型の複数の形状保持プラスチック線材２…を挿通した第４実施形態と異なり、筒部材３の内部孔４に断面偏平楕円型の形状保持プラスチック線材２を一本挿通させた場合を例示している。
【００１５】
図13，図14，図15は、各々、第６，第７，第８の実施の形態を示す。つまり、図13では、一般糸１（経糸１ａ，緯糸１ｂ）とプラスチック線材２とを適宜組み合わせて平織りＤとなるように織り上げ、靴紐を形成した場合を例示している。また、図14では、一般糸１（経糸１ａ，緯糸１ｂ）とプラスチック線材２とを適宜組み合わせて綾織りＥとなるように織り上げ、靴紐を形成した場合を例示している。また、図15では、一般糸１（経糸１ａ，緯糸１ｂ）とプラスチック線材２とを適宜組み合わせて朱子織りＦとなるように織り上げ、靴紐を形成した場合を例示している。
【００１６】
なお、本考案は、上述の実施の形態に限定されず、本考案の要旨を逸脱しない範囲で設計変更可能である。例えば、筒部材３は、平織りＡ，綾織りＢ，朱子織りＣの織り方や経編等の編み方で形成したものに限るのではなく、他の織り方や編み方により形成するも自由である。
また、筒部材３は、１種類の繊維から成る一般糸を使用して形成するものに限るのではなく、複数種類の一般糸を組み合わせて形成してもよい。
また、形状保持プラスチック線材２は、塑性変形性のポリエチレン材料にて形成したものに限るのではなく、他の材料にて形成したものでもよい。
【００１７】
また、形状保持プラスチック線材２の断面形状は、円型や偏平楕円型に限るのではなく、他の形状とするも自由である。  
また、第１実施形態では、筒部材３の内部孔４に形状保持プラスチック線材２を挿通したものを、複数個並列状に連結することによって靴紐20を形成したが、本発明はこれに限るのではなく、筒部材３の内部孔４に形状保持プラスチック線材２を挿通したものを、束状に連結して靴紐を形成してもよい。
また、第６〜第８実施形態の構成（構造）を、第１実施形態や第２実施形態の外皮部５に応用（併用）するも好ましい。
【００１８】
以上のように本考案に係る靴紐は、繊維から成る一般糸１と、塑性変形して形状を保つ形状保持プラスチック線材２と、から形成するので、形状保持プラスチック線材２の形状保持機能により、靴紐20を曲げるとその曲がった状態を維持することができる。これにより、結び目を形成した後に揺り動かしても、結び目形状が容易に変化しないようにすることができる。その結果、結び目が緩んだり解けたりしにくい靴紐20とすることができる。また、激しく結び目が揺り動かされる運動靴（スポーツシューズ）に対して特に有効な靴紐20とすることができる。  
また、靴紐20を長期間使用しても、形状保持プラスチック線材２が靴紐20から分離することなく、形状保持プラスチック線材２の形状保持機能が消失することがないので、長期間使用しても緩み止め効果が低下しない靴紐20とすることができる。
【００１９】
また、繊維から成る一般糸１にて筒状に形成された筒部材３を備え、筒部材３の内部孔４に、塑性変形して形状を保つ形状保持プラスチック線材２を挿通して形成するので、緩み止め加工を施していない従来の靴紐と比較して外観が変化することなく、緩み止め効果を靴紐20に与えることができる。また、外観が緩み止め加工を施していない靴紐と同様なので、液状ゴムを被覆含浸固化して表面に防滑面を形成したような靴紐と比較して不恰好になることもない。また、形状保持プラスチック線材２を完全に筒部材３にて覆うので、形状保持プラスチック線材２を保護し、外的要因による形状保持プラスチック線材２の損傷を生じにくくさせることができる。これにより、より長期間に渡って緩み止め効果を持続させることができる。
【００２０】
また、繊維から成る一般糸１と、塑性変形して形状を保つ形状保持プラスチック線材２と、を組み込んで組紐状に形成するので、組紐状の靴紐に於て、結び目が緩んだり解けたりしにくいものを容易に形成することができる。
【００２１】
また、繊維から成る一般糸１にて形成された外皮部５を備え、外皮部５の内部側には、複数の内部孔４が並設され、内部孔４の夫々に、塑性変形して形状を保つ形状保持プラスチック線材２を挿通するので、外皮部５の内部側に、複数の形状保持プラスチック線材２をバランスよく配設することができる。これにより、靴紐20を荒く扱ったり長期間使用しても複数の形状保持プラスチック線材２同士が絡まったり偏ったりすることがないので、長期間使用しても緩み止め効果が低下しない靴紐20とすることができる。
【００２２】
また、繊維から成る一般糸１にて形成された外皮部５を備え、外皮部５の内側に、複数の内部孔４を並設し、内部孔４の夫々に、塑性変形して形状を保つと共に線径が0.3 〜0.6 mmに設定された形状保持プラスチック線材２を挿通して形成するので、靴紐20が過度に曲げにくくなったり逆に形状保持機能が低すぎたりすることなく、結び目が緩んだり解けたりしにくい靴紐20とすることができる。また、形状保持プラスチック線材２は、その塑性変形特性が、 180度折曲げてから10分経過後の戻り角度が20度以下を示すポリエチレン材質から成るので、靴紐として一般糸１と組み込んだり、挿入したりして作製し易く、かつ、靴紐として結び目の緩みを防止する効果も大きい。
【図面の簡単な説明】
【００２３】
【図１】本考案の第１実施形態に係る靴紐を示す平面図である。
【図２】本考案の第１実施形態に係る靴紐の使用状態を示す斜視図である。
【図３】第１実施形態に係る靴紐を示す簡略図であって、（Ａ）は要部斜視簡略図、（Ｂ）は断面簡略図である。
【図４】組織の一例を示す拡大図である。
【図５】組織の他の例を示す拡大図である。
【図６】組織の別の例を示す拡大図である。
【図７】第２実施形態に係る靴紐を示す簡略図であって、（Ａ）は要部斜視簡略図、（Ｂ）は断面簡略図である。
【図８】第３実施形態に係る靴紐を示す要部拡大平面図である。
【図９】第４実施形態に係る靴紐を示す要部拡大平面図である。
【図１０】第４実施形態に係る靴紐を示す断面簡略図である。
【図１１】第５実施形態に係る靴紐を示す要部拡大図である。
【図１２】第５実施形態に係る靴紐を示す断面簡略図である。
【図１３】第６実施形態に係る靴紐を示す要部拡大図である。
【図１４】第７実施形態に係る靴紐を示す要部拡大図である。
【図１５】第８実施形態に係る靴紐を示す要部拡大図である。
【符号の説明】
【００２４】
１  一般糸
２  形状保持プラスチック線材
３  筒部材
４  内部孔
５  外皮部
【図１】
0003111441.tif 000003
【図２】
0003111441.tif 000004
【図３】
0003111441.tif 000005
【図４】
0003111441.tif 000006
【図５】
0003111441.tif 000007
【図６】
0003111441.tif 000008
【図７】
0003111441.tif 000009
【図８】
0003111441.tif 000010
【図９】
0003111441.tif 000011
【図１０】
0003111441.tif 000012
【図１１】
0003111441.tif 000013
【図１２】
0003111441.tif 000014
【図１３】
0003111441.tif 000015
【図１４】
0003111441.tif 000016
【図１５】
0003111441.tif 000017
【手続補正書】
【提出日】平成17年4月11日(2005.4.11)
【手続補正１】
【補正対象書類名】実用新案登録請求の範囲
【補正対象項目名】全文
【補正方法】変更
【補正の内容】
【実用新案登録請求の範囲】
【請求項１】
繊維から成る一般糸（１）にて筒状に形成された筒部材（３）を備え、該筒部材（３）の内部孔（４）に、塑性変形して形状を保つ形状保持プラスチック線材（２）を挿通して形成したことを特徴とする靴紐。
【請求項２】
繊維から成る一般糸（１）と、塑性変形して形状を保つ形状保持プラスチック線材（２）と、を組み込んで組紐状に形成したことを特徴とする靴紐。
【請求項３】
繊維から成る一般糸（１）にて形成された外皮部（５）を備え、該外皮部（５）の内部側には、複数の内部孔（４）が並設され、該内部孔（４）の夫々に、塑性変形して形状を保つ形状保持プラスチック線材（２）を挿通して形成したことを特徴とする靴紐。
【請求項４】
繊維から成る一般糸（１）にて形成された外皮部（５）を備え、該外皮部（５）の内側には、複数の内部孔（４）が並設され、該内部孔（４）の夫々に、塑性変形して形状を保つと共に線径が0.3 〜0.6 mmに設定された形状保持プラスチック線材（２）を挿通して形成したことを特徴とする靴紐。
【請求項５】
形状保持プラスチック線材（２）は、その塑性変形特性が、 180度折曲げてから10分経過後の戻り角度が20度以下を示すポリエチレン材質から成る請求項１，２，３，４又は５記載の靴紐。